(57)【要約】【課題】  手肌に対する薬効成分の浸透作用に優れ、着脱が容易かつ反復使用が可能なばかりでなく、充分な遠赤外線輻射効果及びマイナスイオン効果を発揮することにより、発汗・老廃物排出・血行等の促進、細胞の活性化等の作用が得られ、装着あるいは装着した状態でフェイスマッサージやボディマッサージを行うことで良好な美肌効果を得ることができる健康・美容用手袋を提供する。【解決手段】  温泉鉱泥と酸化第二鉄（Ｆｅ２Ｏ３）セラミック粉体、カオリナイトを混合し、よく練り合せ、一定温度に加熱した後、粉砕する。こうして得られた第二次的鉱泥セラミックに、更にトルマリン等の微粉末を加えてシリコンゴム基材中に空気を含有させつつ攪拌して均一に分散させ、脱泡作業を行った後、この混合液にゴム手袋成形用金型を浸漬して引き上げ加熱してゲル化させ、美容用手袋１の手の甲を覆う手甲部２、掌側を覆う掌部３、五指を覆う指部４を一体的に形成する。【選択図】  図１
0003158247.tif 000002
【実用新案登録請求の範囲】
【請求項１】
シリコンゴム中に、遠赤外線・マイナスイオンを発生させる一般に電気石と称される鉱石の粉末を分散して含有させると共に、天然に産出する温泉成分の結晶である温泉鉱泥を含有した生地から、手の甲を覆う手甲部、掌側を覆う掌部及び五指を覆う指部を一体的に成形したことを特徴とする健康・美容用手袋。
【請求項２】
五指を覆う指部のみからなることを特徴とする請求項１記載の健康・美容用手袋。
【請求項３】
温泉鉱泥が硫化物を含むものであることを特徴とする請求項１又は請求項２記載の健康・美容用手袋。
【請求項４】
温泉鉱泥が、明礬を含むものであることを特徴とする請求項１乃至請求項３のいずれかに記載の健康・美容用手袋。
【請求項５】
酸化鉄成分として化粧品材料基準に記載されているベンガラを含むものであることを特徴とする請求項１乃至請求項４記載のいずれかに記載の健康・美容用手袋。
【考案の詳細な説明】
【技術分野】
【０００１】
本考案は、人手に装着して使用する健康・美容用のシリコン製手袋に関し、とくにシリコンゴム原料に電気石や温泉鉱泥を混入し、遠赤外線作用・マイナスイオン作用により美肌効果等を発揮する健康・美容用手袋に関するものである。
【背景技術】
【０００２】
従来の美容方法として、とくに手肌には美容クリームを塗布したり、パック剤を塗布してパックする方法等がある。しかしながら、美容クリームは、その有効成分のほとんどが皮膚の深部まで浸透することがなく、さほど高い美肌効果は期待できない。また、パック剤は皮膚表面の汚れは除去できるものの皮膚自体を活性化させるような効果は期待できない。また、美容院やエステティックサロンにおけるフェイスマッサージやボディマッサージ等の美肌施術はマッサージオイルを用いて素手で行われるのが一般的である。他、ゲルマニウムや自然鉱石を用いた美容ローラー等もある。
【０００３】
一方、例えば、トルマリン鉱石粒子又は粉末を混入したポリエステル樹脂を紡糸して成形したゴルフ用手袋（特許文献１参照。）や手袋の補強部材裏面側にトルマリンの粒子を含有するシートを介在させ、トルマリンの有する脱臭効果、遠赤外線作用、マイナスイオン効果等をユーザーに対して付与できる手袋構造が示されている（特許文献２参照。）。
【先行技術文献】
【特許文献】
【０００４】
【特許文献１】特開２００３−１４４５９８号公報
【特許文献２】特開２００３−２９９７６１号公報
【考案の概要】
【考案が解決しようとする課題】
【０００５】
これらの文献中では、保温性、耐汚れ性、抗菌性、あるいはトルマリンのマイナスイオン効果により、ストレスを解消させて安らぎを与える精神的作用があることを謳っているものの特段の健康・美容効果についてまでは言及していない。
本考案は、上記のような従来技術の課題に鑑み、手肌に対する薬効成分の浸透作用に優れ、着脱が容易かつ反復使用が可能なばかりでなく、充分な遠赤外線輻射効果及びマイナスイオン効果を発揮することにより、発汗・老廃物排出・血行等の促進、細胞の活性化等の作用が得られ、装着あるいは装着した状態でフェイスマッサージやボディマッサージを行うことで良好な美肌効果を得ることができる健康・美容用手袋を提供することを目的とする。
【課題を解決するための手段】
【０００６】
そこで本考案の健康・美容用手袋は、シリコンゴム中に、遠赤外線・マイナスイオンを発生させる一般に電気石と称される鉱石の粉末を分散して含有させると共に、天然に産出する温泉成分の結晶である温泉鉱泥を含有した生地から、手の甲を覆う手甲部、掌側を覆う掌部及び五指を覆う指部を一体的に成形したことを第１の特徴とする。また、五指を覆う指部のみからなることを第２の特徴とする。さらに、温泉鉱泥が硫化物を含むものであることを第３の特徴とする。またさらに、温泉鉱泥が、明礬を含むものであることを第４の特徴とする。加えて、酸化鉄成分として化粧品材料基準に記載されているベンガラを含むものであることを第５の特徴とする。
【考案の効果】
【０００７】
本考案によれば、以下の優れた効果がある。
（１）手肌に対する密着性が良好で、薬効成分の皮膚への浸透作用に優れている。
（２）着脱が容易で、視覚的な美観を感じる程度の透明性がある。
（３）充分な遠赤外線輻射効果及びマイナスイオン効果を発揮することにより、発汗・老廃物排出・血行等の促進、細胞の活性化等の作用が得られ、良好な美肌効果を得ることができる。
（４）本考案の手袋を装着してフェイスマッサージやボディマッサージを行うと顕著な美肌効果が得られる。
【図面の簡単な説明】
【０００８】
【図１】本考案に係る健康・美容用手袋の一実施例を模式的に示す斜視図である。
【図２】本考案に係る健康・美容用手袋の他の実施例を模式的に示す斜視図である。
【図３】本考案に係る健康・美容用手袋の他の実施例を模式的に示す斜視図である。
【考案を実施するための形態】
【０００９】
次に、本考案の実施の形態を図面に示す実施例に基づいて説明する。
【実施例】
【００１０】
本考案に係る健康・美容用手袋の製造方法の概要は以下のとおりである。
まず、温泉鉱泥と酸化第二鉄（Ｆｅ２Ｏ３）セラミック粉体、カオリナイトを混合し、よく練り合せ、一定温度に加熱した後、粉砕する。こうして得られた第二次的鉱泥セラミックに、更にトルマリン等（遠赤外線・マイナスイオンを発生させ一般に電気石と称される鉱石）の微粉末を加えてシリコンゴム基材中に空気を含有させつつ攪拌して均一に分散させ、脱泡作業を行った後、この混合液にゴム手袋成形用金型を浸漬して引き上げ、加熱してゲル化させる。
【００１１】
このように形成された本考案の健康・美容用手袋１は、酸化鉄セラミックの持つ遠赤外線放射及びトルマリン等の遠赤外線放射・マイナスイオン発生効果と共に、温泉鉱泥から生ずる温泉効果を利用して、手肌における血行を高め、新陳代謝を活発化させることにより、健康・美容効果をもたらす。
【００１２】
尚、図１に示すように、本実施例の健康・美容用手袋１は、手の甲を覆う手甲部２、掌側を覆う掌部３、五指を覆う指部４を一体的に形成しているが、図２に示すように、着脱性をさらに良好にするために、手甲部２及び掌部３の下部を除いて指部４のみを残した形状や図３に示すようなミトン状あるいは任意の指単独で装着する指サック状に形成しても良い。
【００１３】
次に、原料の一つである温泉鉱泥の物性について詳細に説明する。
例えば、大分県別府市の山間部は、温泉の噴気（ガス）が自噴している。このガスを導いて、均等に敷き詰めた栗石の間を通すと、ガスはその圧力により上記栗石の間を上昇する。この栗石の上方に、この地方特有のモンモリロナイトを主体とする「青粘土」を作用させると、ガスは粘土中の粒子の間を毛細管現象によりゆるやかに上昇する。そして、この上昇の間に、ガスの主成分である硫気ガス（ＳＯ２）の一部は硫酸に変わる。さらに、この硫酸が下方からの圧力により上昇する間に、粘土中のアルミニウムや鉄等の鉱物質を溶解しつつ表面に至る。表面では、水分は蒸発し、金属硫化物を多量に含んだ硫酸礬土が結晶状態で得られる。この結晶を外気から守るため、例えば、藁屋根のサシカケ小屋が用いられる。
【００１４】
上述のごとく、粘土に温泉ガスを作用させて３０〜６０日程度が経過すると、硫酸礬土は粘土の表面上５〜６ｃｍ程度に成長する。これを適宜の道具で掻き取り原料とする。尚、青粘土は、２〜３回の使用が限度であり交換する必要がある。硫酸礬土の収穫作業は粘土を交換しては繰り返される。
上述のごとき作業により得られた硫酸礬土を、ほぼ同量の温泉水中に分散させ、混合・攪拌した上で、鉱泥を沈澱させ、濾過して、１００〜１２０メッシュ程度の温泉鉱泥を得る。この温泉鉱泥の成分は、おおよそ以下のとおりである。
水分                        ４４％
固形分                      ５６％
また、固形分の内訳は、例えば、以下のとおりである。
鉄分                        ３８．１１％
アルミニウム                １３．２５％
硫酸                          ６．２８％
【００１５】
微量金属等の含有量については、例えば、以下のとおりである。
ゲルマニウム                ９７．９３ｐｐｍ
銅                          ２３．５３ｐｐｍ
マンガン                  １０４．６２ｐｐｍ
金                            ６．３８ｐｐｍ
亜鉛                        ７０．５９ｐｐｍ
砒素                        ５８．４６ｐｐｍ
鉛                          ２５．２６ｐｐｍ
尚、上述のごとき成分を含有する温泉鉱泥を約１０００倍の水に分散させて入浴に用いれば、皮膚障害及び血行の促進等の効能を有するものである。
【００１６】
本実施例に係る健康・美容用手袋のさらに詳しい製造方法は、以下のとおりである。
まず、１０００℃程度の高温中に３時間置き、セラミック化した化粧品原材料基準に記載されているベンガラ（主成分は三二酸化鉄）と、同じく化粧品原材料基準に記載されているカオリン（含珪酸アルミニウム）とを、上述のごとき成分を含有する温泉鉱泥を水で溶かしたものとをほぼ同量ずつ混合し、よく練り合わせた後、自然乾燥させる。その後、上記混合物を約５３０℃程度の温度で３時間焼成する。この工程を経ることにより、上記鉱泥中に含まれていた砒素の量を健康基準に規定される１ｍｇ／ｋｇ以下とすることができる。こうして得られた物質（以下、温泉鉱泥セラミックという）を粉砕して好ましくは９μ以下の微粉末とする。
【００１７】
さらに、上述の微粉末化した温泉鉱泥セラミックと、トルマリン等の微粉末を加えて練成し、これに更に、二液型ゴムシリコン用希釈剤及び硬化剤を加え、適度の濃度に調整する。その後、本品の主剤となるゴムシリコンを投入し、全体を均一に混合する。尚、ここでいう二液型ゴムシリコンとは、主剤と硬化剤を混合し、加熱し硬化させるタイプのシリコン剤であり、例えば、信越化学工業株式会社製でＫＥ・ＫＦシリーズとして製品化されているもの等がある。
【００１８】
混合に際しては、原料中のトルマリン等のいわゆる電気石のマイナスイオンを効果的に発生させるため、これらの鉱石の微粉末同士の間に空気の微小な間隙を生じさせるよう空気を加圧封入しつつ３分から５分程度攪拌を行う。原料の攪拌時に空気を加圧封入することにより、他の粒子と非接触状態、すなわち空間的に相離間したトルマリン等の粒子数が増加し、トルマリン等の粒子に存するプラス極とマイナス極の総数が増加する。これにより、トルマリン粒子のプラス極部分に周囲のマイナスイオンが多数集まり、マイナスイオン帯電量が増大する事になる。つまり、トルマリン等の粒子間に働く静電気的相互作用が増大することから、マイナスイオン効果が高まることとなる。
【００１９】
次いで、こうして混合された原料液の脱泡作業を行う。この脱泡作業は、これは気泡残留による手袋１の破損を防ぐため、ドライヤー等で原料液表面に風を送り、風圧を加えて気泡を潰すという強制脱泡により行う。次いで、ゴム手袋成形用金型を浸漬して引き上げて成形し、１３０℃で２０分間加熱しゲル化させた後、型から外して健康・美容用手袋１を得る。尚、本実施例では、金型に浸漬する方法により手袋を作製したが、インジェクション成形によるものでも勿論良い。
【００２０】
本考案に係る健康・美容用手袋１には、温泉鉱泥セラミック成分が高濃度に分布している。尚、シリコンゴムについては、通常、硫化物を含んだものの硬化は困難とされているが、本考案に係る美容用手袋１においては、接着用シリコンと非接着用シリコンの混合及び加熱条件を１１０℃から１６０℃で２５分間乃至１７分間程度加熱するよう工夫したことにより、前述のごとき内容物を含む二液型ゴムシリコンの硬化に成功したものである。
【００２１】
また、得られた健康・美容用手袋１については、柔軟性に富み、人の皮膚に適度になじみ易いという物理的特徴を有する。さらに、温泉鉱泥中に含有されていた硫化物が、シリコンゴムの微細な孔を通して滲み出ることが確認できる。また、本製品を、ｐＨ７の水道水に浸すと４時間経過程度でｐＨが０．１〜０．１５程、酸性側に動くことからもこれが裏付けられる。また、自然放置状態での帯電量は３キロボルトから５キロボルトであることが実験により確認されている。これはそもそもシリコンゴム自体がマイナスの電荷を持つため、その相乗効果により発生する電気量が増大するものと考えられる。
【００２２】
したがって、本考案に係る健康・美容用手袋１は、遠赤外線放射効果に加えて、電気石による電気的刺激がこれに加わると共に、さらに、温泉鉱泥中の温泉成分が皮膚を刺激して血行・保湿効果を促進するという相乗作用的な効果を生ずるものである。
【産業上の利用可能性】
【００２３】
本考案は、皮膚密着性が良好で、誰でも短時間のうちに場所を選ばず手軽に保湿・トリートメント効果及び遠赤外線・マイナスイオン効果の高い手肌美容が行えるため、高価な美容用機械器具や特別な技術を用いることなく、しかも使用後に手肌の洗浄を行ったりパックの剥離に手間をかけることもないので、手肌の美容用品として、広汎な需要を獲得できるばかりでなく、エステティックサロンや美容院でのフェイスマッサージやボディマッサージ等の美肌施術に用いることもできる。
【符号の説明】
【００２４】
１    健康・美容用手袋
２    手甲部
３    掌部
４    指部
【図１】
0003158247.tif 000003
【図２】
0003158247.tif 000004
【図３】
0003158247.tif 000005
【手続補正書】
【提出日】平成22年1月18日(2010.1.18)
【手続補正１】
【補正対象書類名】実用新案登録請求の範囲
【補正対象項目名】請求項５
【補正方法】変更
【補正の内容】
【請求項５】
酸化鉄成分としてベンガラを含むものであることを特徴とする請求項１乃至請求項４記載のいずれかに記載の健康・美容用手袋。
【手続補正２】
【補正対象書類名】明細書
【補正対象項目名】０００６
【補正方法】変更
【補正の内容】
【０００６】
そこで本考案の健康・美容用手袋は、シリコンゴム中に、遠赤外線・マイナスイオンを発生させる一般に電気石と称される鉱石の粉末を分散して含有させると共に、天然に産出する温泉成分の結晶である温泉鉱泥を含有した生地から、手の甲を覆う手甲部、掌側を覆う掌部及び五指を覆う指部を一体的に成形したことを第１の特徴とする。また、五指を覆う指部のみからなることを第２の特徴とする。さらに、温泉鉱泥が硫化物を含むものであることを第３の特徴とする。またさらに、温泉鉱泥が、明礬を含むものであることを第４の特徴とする。加えて、酸化鉄成分としてベンガラを含むものであることを第５の特徴とする。